【事件の表示】
　特願２０１０−５３０９８４「短距離ＦＭ変調器／送信器およびそれを組み込んだシステム」拒絶査定不服審判事件〔平成２１年　５月　７日国際公開、ＷＯ２００９／０５８１３９、平成２３年　１月２０日国内公表、特表２０１１−５０２３９６〕について、次のとおり審決する。
【結　論】
　本件審判の請求は、成り立たない。
【理　由】
　
１．手続の経緯
　
　本願は、２００７年１０月３１日を国際出願日とする出願であって、平成２４年４月１９日付けで拒絶理由が通知され、平成２４年７月２３日付けで手続補正がなされ、平成２４年９月２８日付けで拒絶査定がされ、平成２５年２月１日に拒絶査定不服審判が請求されたものである。
　
　
２．本願発明
　
　本願の請求項１に係る発明（以下「本願発明」という。）は、平成２４年７月２３日付け手続補正書の特許請求の範囲の請求項１に記載された事項により特定される、以下のとおりのものと認める。
　
「無線信号変調器および送信器と、
　受信器と、
　前記受信器に結合された制御装置とを備える短距離無線送信器装置において、
　前記制御装置および前記受信器が、前記無線信号変調器および前記送信器の送信周波数を選択するために周波数スペクトルを検査するように動作し、
　前記無線信号変調器および前記送信器がデータ・チャネル・サービス対応であり、
　データ・チャネル・サービス対応の前記送信器が高解像度無線データ・ストリームの側波帯でデータを送信することを特徴とする短距離無線送信器装置。」
　
　
３．引用例
　
　本願の出願日前である平成１５年１１月２１日に公開された特開２００３−３３３００４号公報（以下「引用例１」という）には、次の事項が記載されている。
　
「【００２８】〔第１の実施の形態〕
（変調システムの構成）図１は、本発明の第１の実施の形態の変調システムの概略構成を示すブロック図である。この図１において、１は変調システムで、この変調システム１は、変調装置としてのＦＭモジュレータ２と、変調波受信装置としてのヘッドユニット３と、図示しない再生装置と、を備えている。そして、変調システム１は、このＦＭモジュレータ２により取得した例えば音楽データなどのデータを周辺地域の電波の影響を受けないように変調して送信し、ヘッドユニット３で受信して再生装置で再生処理させるシステムである。
【００２９】ＦＭモジュレータ２は、変調装置本体５と、入力手段としてのコントローラ６と、図示しない電源手段と、を備えている。変調装置本体５は、レベル検波手段としてのＦＭレベル検波部１１と、周波数変調手段としての変調部１２と、記憶手段としてのメモリ１３と、周波数設定手段としての周波数コントローラ１４と、送信手段１５と、を備えている。
【００３０】ＦＭレベル検波部１１は、受信アンテナ１７を有している。そして、このＦＭレベル検波部１１は、変調システム１が利用される地域における電波を受信アンテナ１７で受信し、受信した電波の状況を判断する。すなわち、ＦＭレベル検波部１１は、利用する地域において例えばＦＭ放送やＴＶ放送などで提供される情報の超短波などの電波を受信アンテナ１７で受信し、受信した電波の受信レベルを検知する。そして、検知した受信レベルの状態は、周波数コントローラ１４に出力される。
【００３１】変調部１２には、例えば図示しないデータ読取手段が接続されている。この変調部１２は、データ読取手段にて読み取ったデータを取得可能に構成されている。そして、変調部１２は、取得したデータを所定の周波数帯に変調する。変調方法は、振幅変調や周波数変調など、各種方法を利用できる。
【００３２】なお、データ読取手段としては、例えばＣＤ−ＤＡ（Compact Disk-Digital Audio）やＣＤ−ＲＯＭ（Compact Disk-Read Only Memory）、ＤＶＤ−ＲＯＭ（Digital Versatile Disc - Read Only Memory）、磁気カードなどの記録媒体に記録された音楽データなどのデータを読み取るドライブやコネクタなどである。なお、これらの構成に限られるものではない。」
　
「【００３５】周波数コントローラ１４は、ＦＭレベル検波部１１に接続されている。周波数コントローラ１４は、ＦＭレベル検波部１１にて検知した受信レベルの状態を取得する。また、周波数コントローラ１４には、メモリ１３が接続されている。そして、周波数コントローラ１４は、ＦＭレベル検波部１１から取得した周辺地域の電波の受信レベルと、メモリ１３に記憶された周波数帯情報とを比較する。また、周波数コントローラ１４は、周辺地域の電波の受信レベルにて影響を受け難い周波数帯情報、すなわち、周辺地域の電波の受信レベルが最も小さい基準周波数帯をメモリに記憶された周波数帯情報から選択する。
【００３６】そして、周波数コントローラ１４は、変調部１２を制御し、選択した周波数帯情報の基準周波数帯でデータを変調させる制御をする。なお、この変調部１２で変調させる制御の際、周波数コントローラ１４は変調されるデータに周波数帯情報の識別情報を例えばデジタル信号で重畳させる制御をする。
【００３７】また、周波数コントローラ１４は、メモリ１３に記憶された閾値Ｔｈと、ＦＭレベル検波部１１で検波する電波の受信レベルとを比較し、受信レベルが閾値Ｔｈを越えるか否かを判断する。そして、周波数コントローラ１４は、受信レベルが閾値Ｔｈを越えたことを認識すると、変調部１２でデータを変調させる基準周波数帯を変更する処理をする。
【００３８】送信手段１５は、送信アンテナ１８を有している。この送信手段１５は、変調部１２で所定の周波数帯に変調されたデータに周波数帯情報の識別情報が重畳された情報を送信する。」
　
　上記によれば、引用例１には、
　
「変調システム１は、ＦＭモジュレータ２により取得した音楽データなどのデータを周辺地域の電波の影響を受けないように変調して送信し、ヘッドユニット３で受信して再生装置で再生処理させるシステムであり、
　ＦＭモジュレータ２は、変調装置本体５を備え、変調装置本体５は、ＦＭレベル検波部１１と、変調部１２と、メモリ１３と、周波数コントローラ１４と、送信手段１５と、を備えており、
　ＦＭレベル検波部１１は、変調システム１が利用される地域における電波を受信アンテナ１７で受信し、受信した電波の受信レベルを検知して、検知した受信レベルの状態は、周波数コントローラ１４に出力し、
　変調部１２には、データ読取手段が接続されており、変調部１２は、取得したデータを所定の周波数帯に変調し、
　データ読取手段としては、例えばＣＤ−ＤＡ（Compact Disk-Digital Audio）などの記録媒体に記録された音楽データなどのデータを読み取るドライブであり、
　周波数コントローラ１４は、ＦＭレベル検波部１１にて検知した受信レベルの状態を取得し、周辺地域の電波の受信レベルが最も小さい基準周波数帯をメモリに記憶された周波数帯情報から選択し、
　周波数コントローラ１４は、変調部１２を制御し、選択した周波数帯情報の基準周波数帯でデータを変調させる制御を行い、この変調部１２で変調させる制御の際、周波数コントローラ１４は変調されるデータに周波数帯情報の識別情報をデジタル信号で重畳させ、
　送信手段１５は、送信アンテナ１８を有し、この送信手段１５は、変調部１２で所定の周波数帯に変調されたデータに周波数帯情報の識別情報が重畳された情報を送信する。」
　
が記載されている。（以下「引用発明」という）
　
　
４．本願発明と引用発明の対比
　
　引用発明の「変調部１２」は、本願発明の「無線信号変調器」に相当し、
　引用発明の「送信手段１５」は、本願発明の「送信器」に相当し、
　引用発明の「ＦＭレベル検波部１１」は、「変調システム１が利用される地域における電波を受信アンテナ１７で受信」するから、本願発明の「受信器」に相当する。
　
　また、引用発明の「ＦＭレベル検波部１１」は、「検知した受信レベルの状態は、周波数コントローラ１４に出力」するから、「周波数コントローラ１４」は「ＦＭレベル検波部１１」に接続されている。
　したがって、引用発明の「周波数コントローラ１４」は、本願発明の「受信器に結合された制御装置」に相当する。
　
　引用発明の「変調システム１」は、変調装置としてのＦＭモジュレータ２がＣＤ−ＤＡなどの記録媒体に記録された音楽データなどのデータを読み取り、変調して送信し、ヘッドユニット３で受信して再生処理させるシステムであるから、「短距離無線」のシステムである。
　したがって、「変調システム１」の「ＦＭモジュレータ２」は「短距離無線送信器装置」といえる。
　
　また、「周波数コントローラ１４」は、「ＦＭレベル検波部１１にて検知した受信レベルの状態を取得し」て、「周辺地域の電波の受信レベルが最も小さい基準周波数帯をメモリに記憶された周波数帯情報から選択」し、「変調部１２を制御し、選択した周波数帯情報の基準周波数帯でデータを変調させる制御を行」っている。また、「周波数コントローラ１４」の制御により「変調部１２」で変調されたデータは送信手段１５から出力されることは明らかである。
　よって「周波数コントローラ１４」と「ＦＭレベル検波部１１」が選択した「周波数情報」は、「変調部１２」と「送信手段１５」の「送信周波数を選択するため」である。
　また、「周辺地域の電波の受信レベルが最も小さい基準周波数帯」を「選択」することは、「周波数スペクトルを検査」しているといえる。
　したがって、引用発明は「前記制御装置および前記受信器が、前記無線信号変調器および前記送信器の送信周波数を選択するために周波数スペクトルを検査」しているといえる。
　
　したがって、本願発明と引用発明は、
　
「無線信号変調器および送信器と、
　受信器と、
　前記受信器に結合された制御装置とを備える短距離無線送信器装置において、
　前記制御装置および前記受信器が、前記無線信号変調器および前記送信器の送信周波数を選択するために周波数スペクトルを検査するように動作する
　ことを特徴とする短距離無線送信器装置。」
　
　で一致し、下記の点で相違する。
　
　相違点
　
　本願発明は、無線信号変調器および送信器が、「データ・チャネル・サービス対応」であり、「データ・チャネル・サービス対応の前記送信器が高解像度無線データ・ストリームの側波帯でデータを送信する」のに対し、引用発明はそのような記載が無い点。
　
　
５．当審の判断
　
５−１．上記相違点について検討する。
　
　特開平１０−２５６９２７号公報（以下「周知例１」という）には、
　
「【０００２】
【従来の技術】上記ＦＭ多重放送は、文字や図形で構成される画像情報、音声信号及び交通情報などのデータをディジタル信号の形でＦＭ音声放送に多重して伝送する放送システムである。図１４はＦＭ放送のスペクトラムを示す図である。本図に示す如く、ディジタル信号はＦＭ音声信号（アナログ）の周波数帯域の上側に周波数多重されて伝送されている。受信側ではＦＭ受信機でＦＭ復調した信号から多重信号を分離してディジタル復調、誤り訂正を行い、データが取り出される。このディジタルデータを復号し、文字や図形、音声がそれぞれディスプレーやスピーカで再生される。」
　
の記載があるから、周知例１には
　
「ＦＭ多重放送は、文字や図形で構成される画像情報、音声信号及び交通情報などのデータをディジタル信号の形でＦＭ音声放送に多重して伝送する放送システムであり、ディジタル信号はＦＭ音声信号の周波数帯域の上側に周波数多重されて伝送されている。」
　
が記載されている。
　
　特開平９−８７５１号公報（以下「周知例２」という）には、
　
「【０００５】このＦＭデータ多重放送の信号形式を図１に示す。（ａ）に示されたのは、ＦＭデータ多重放送の信号スペクトルであり、横軸にベースバンド周波数を、縦軸に信号レベルを示してある。この図において「Ｌ＋Ｒ」、「パイロット信号」及び「Ｌ−Ｒ」と示されたのは各々音声和信号、ステレオパイロット信号及び音声差信号であり、従来のＦＭステレオ放送で用いられているものと同じものである。ＦＭデータ多重放送信号はＦＭ音声差信号の中心周波数である３８ＫHzの２倍の７６ＫHzに中心周波数を置く信号として多重され、デジタル変調方式で変調されている。」
　
の記載があるから、周知例２には、
　
「ＦＭデータ多重放送は、「Ｌ＋Ｒ」、「パイロット信号」及び「Ｌ−Ｒ」と示されたのは従来のＦＭステレオ放送で用いられているものと同じものであり、ＦＭデータ多重放送信号はＦＭ音声差信号の中心周波数である３８ＫHzの２倍の７６ＫHzに中心周波数を置く信号として多重され、デジタル変調方式で変調されている。」
　
が記載されている。
　
　特開平１−１７４０３３号公報（以下「周知例３」という）には、
　
「第５図は、FM多重データ方式のベースバンドのスペクトルの一例を示す配置図である。
　第５図において１はステレオの和信号である。２はステレオの差信号であり、38kHzをサブキャリアとする抑圧搬送波振幅変調されている。３は19kHzのパイロット信号である。４は多重データ信号であり、QPSK変調されたディジタル信号である。その第２のサブキャリア周波数は76kHzである。多重データ信号４のビットレートは48kb/sである。38kHzのサブキャリアおよび76kHzの第２のサブキャリアはパイロット信号３の周波数19kHzのそれぞれ２逓倍および４逓倍の周波数である。第１のサブキャリアの位相と第２のサブキャリアのＩ軸（後述する）位相はパイロット信号３の位相に一致している。」（３頁右上欄２０行〜左下欄１４行）
　
　また第５図には、「ＦＭ多重データ方式のベースバンドスペクトルの一例を示す配置図」として、「１ステレオ和信号」「３パイロット信号」「２ステレオ差信号」「４多重データ信号」の周波数と信号レベルが記載されている。
　
の記載があるから、周知例３には、
　
「FM多重データ方式は、ステレオの和信号、38kHzをサブキャリアとする抑圧搬送波振幅変調されているステレオの差信号、パイロット信号、多重データ信号で構成され、多重データ信号はQPSK変調されたディジタル信号であり、その第２のサブキャリア周波数は76kHzである。」　
　が記載されている。
　
　したがって、周知例１乃至３によれば、
　
「ＦＭ多重データ方式は、従来のＦＭ音声放送の周波数帯域の上側にQPSK変調されたデジタル信号を周波数多重して伝送する」
　
　ことが記載されている。
　
　ここで、「従来のＦＭ音声放送の周波数帯域の上側にQPSK変調されたデジタル信号」は、「デジタル信号」すなわち「データ」をQPSK変調した信号であり、放送局から「伝送路」、すなわち「チャネル」を介して送信されることは技術常識であるから、該信号は「データ・チャネル」により送信されているといえる。
　また、「ＦＭ多重データ方式」が「データ」のサービスに対応した方式であることは明らかである。
　そうすると、「ＦＭ多重データ方式」は「データ・チャネル・サービス対応」の方式であるといえる。
　
　これは、「データ・チャネル・サービス対応であるＦＭ多重データ方式」が周知（以下「周知技術１」という）であることを示している。
　
　引用発明において「音楽データなどのデータ」を所定の周波数帯に変調したデータと、デジタル信号で重畳させる「周波数帯情報の識別情報」を送信するにあたり、周知技術１の「データ・チャネル・サービス対応」の無線信号変調器および送信器を採用することは容易と認められる。
　
　また、ＣＤ−ＤＡなどの音楽データが「高解像度のデータ・ストリーム」であること、QPSK変調などのデジタル変調を行うと、データは搬送周波数の「側波帯」で送信されること、はいずれも技術常識であるから、「高解像度無線データ・ストリームの側波帯」でデータが送信されることは当然である。
　
　上記のとおり、引用発明において、無線信号変調器および送信機を「データ・チャネル・サービス対応」として、「データ・チャネル・サービス対応の前記送信器が高解像度無線データ・ストリームの側波帯でデータを送信する」ことは容易に想到しうることである。
　
　
５−２．なお、「データ・チャネル・サービス対応」について、実施例においてＲＤＳ／ＲＢＤＳを用いた例が記載されているが、ＲＤＳやＲＢＤＳについても出願人が本願【０００９】及び【００１０】で記載しているように周知である。
　
　
６．むすび
　
　以上のとおり、本願発明は、引用発明及び周知技術に基づいて、当業者が容易に発明をすることができたものであるから、特許法第２９条第２項の規定により特許を受けることができない。
　よって、結論のとおり審決する。